(57)【要約】      （修正有）【課題】電子的な聖火リレーを行う。【解決手段】画像表示システム１０では、聖火を所持する送信側の端末装置が受信側の端末装置とすれちがい通信を行う。サーバ１４がすれちがい通信が成立したと判定した場合は、聖火を所持する権利が送信側の端末装置から受信側の端末装置へ移動する。当該権利の移動により、送信側の端末装置の表示部３０に表示された聖火画像が非表示となる。また、受信側の端末装置の表示部３０には、聖火画像が表示されるようになる。【選択図】図３
2016212165.tif 000002
【特許請求の範囲】
【請求項１】
聖火を表す画像を含む聖火リレー用画像を表示する表示部と、
前記聖火を表す画像を表示する権利を近距離無線通信により受信する第１受信部と、
自装置から所定の範囲内に存在する他の端末装置に、前記第１受信部が受信した前記権利を近距離無線通信により送信する第１送信部と、
前記第１受信部が前記権利を受信した後に、前記表示部に前記聖火を表す画像を表示させる表示制御を行い、前記第１送信部が前記権利を送信した後に、前記表示部に表示している前記聖火を表す画像を非表示とする非表示制御を行う表示制御部と、
を備えた端末装置。
【請求項２】
前記表示制御部は、前記他の端末装置が前記聖火を表す画像を表示させることを確認した場合に、前記非表示制御を行う、
請求項１に記載の端末装置。
【請求項３】
前記表示制御部は、予め定められた表示条件を満たすと判定した場合に、前記権利の受信後に未だ聖火を表す画像を表示していない端末装置に表示指示を行う判定部から前記表示指示が行われた場合に、前記表示制御を行い、前記判定部から前記他の端末装置の一つに前記表示指示が行われた場合に、前記非表示制御を行う、
請求項１または請求項２に記載の端末装置。
【請求項４】
前記予め定められた表示条件は、前記表示制御後に前記非表示制御が行われていない端末装置、及び前記権利の受信後に前記表示制御が行われていない端末装置が予め定められた範囲内に存在することであり、
前記判定部は、前記表示制御後に前記非表示制御が行われていない端末装置、及び前記権利の受信後に前記表示制御が行われていない端末装置各々の位置情報に基づいて前記予め定められた表示条件を満たすか否かを判定する、
請求項３に記載の端末装置。
【請求項５】
前記判定部は、前記端末装置が前記非表示制御後に再び前記権利を受信した場合は、前記予め定められた条件を満たしていないとする判定、または前回前記権利を受信してから所定時間以上経過していない場合に前記予め定められた条件を満たしていないとする判定のいずれかを行う、
請求項３に記載の端末装置。
【請求項６】
前記判定部は、前記権利の受信後に未だ前記表示制御が行われておらず、かつ前記予め定められた表示条件を満たす端末装置が複数有る場合は、予め定められた優先順位に基づいて、複数のうちの１つの端末装置に前記表示指示を行う、
請求項３から請求項５のいずれか１項に記載の端末装置。
【請求項７】
前記判定部はサーバに備えられており、
前記サーバからネットワークを介して前記表示指示を受信する第２受信部をさらに備えた、
請求項３から請求項６のいずれか１項に記載の端末装置。
【請求項８】
前記聖火リレー用画像は、前記聖火を表す画像及びトーチを表す画像を含み、
前記表示制御部は、前記権利を受信した場合は、前記表示部に前記聖火を表す画像及び前記トーチを表す画像を表示させる表示制御を行い、前記権利を前記第１送信部が送信した後も前記トーチを表す画像は前記表示部に表示させたままとする、
請求項１から請求項７のいずれか１項に記載の端末装置。
【請求項９】
前記表示制御部が前記表示制御後に、予め定められた送信条件が満たされるまで、前記権利の送信を禁止する送信制御部をさらに備えた、
請求項１から請求項８のいずれか１項に記載の端末装置。
【請求項１０】
ネットワークを介して無線通信を行う通信部と、
予め定められた通信条件を満たした場合は、前記権利の送受信を前記第１受信部及び第１送信部から、前記通信部に代えて行うよう制御する通信制御部と、
をさらに備える、請求項１から請求項９のいずれか１項に記載の端末装置。
【請求項１１】
前記聖火を表す画像の画像データは、サーバから前記権利の受信後に未だ前記表示制御が行われていない端末装置に送信され、
前記サーバからネットワークを介して前記聖火を表す画像の画像データを受信する第３受信部をさらに備えた、
請求項１から請求項１０のいずれか１項に記載の端末装置。
【請求項１２】
前記サーバは、前記聖火を表す画像の画像データを前記端末装置に送信した送信回数の累積回数を前記聖火を表す画像に対応付けて記憶して前記聖火を表す画像の画像データと共に、該累積回数を送信し、
前記第３受信部は、前記聖火を表す画像の画像データ及び該累積回数を受信し、
前記表示制御部は、前記累積回数を前記表示部に表示させる制御を行う、
請求項１１に記載の端末装置。
【請求項１３】
聖火リレー用画像に含まれる聖火を表す画像を表示する権利の受信後に未だ表示制御が行われていない請求項７に記載の端末装置に、予め定められた表示条件を満たすと判定した場合に、前記聖火を表す画像を表示させる表示指示を行う判定部を備えた、
サーバ。
【請求項１４】
聖火リレー用画像に含まれる聖火を表す画像の画像データを、前記聖火を表す画像を表示する権利を受信した請求項１１または請求項１２に記載の端末装置に送信する通信部を備えた、
サーバ。
【請求項１５】
請求項７に記載の端末装置と、
請求項１３に記載のサーバと、
を備えた画像表示システム。
【請求項１６】
請求項１１または請求項１２に記載の端末装置と、
請求項１４に記載のサーバと、
を備えた画像表示システム。
【請求項１７】
コンピュータに、
聖火を表す画像を含む聖火リレー用画像を表示部に表示し、
前記聖火を表す画像を表示する権利を近距離無線通信により受信し、
自装置から所定の範囲内に存在する他の端末装置の一つに前記聖火を表す画像を表示させるために、前記聖火を表す画像を表示させるための前記権利を近距離無線通信により該他の端末装置の一つに送信し、
前記権利を受信した後に、前記表示部に前記聖火を表す画像を表示させ、その後、前記権利を送信した後に、前記表示部に表示している前記聖火を表す画像を非表示とする制御を行う、
ことを含む処理を実行させる画像表示プログラム。
【請求項１８】
コンピュータにより、
聖火を表す画像を含む聖火リレー用画像を表示部に表示し、
前記聖火を表す画像を表示する権利を近距離無線通信により受信し、
自装置から所定の範囲内に存在する他の端末装置の一つに前記聖火を表す画像を表示させるために、前記聖火を表す画像を表示させるための前記権利を近距離無線通信により該他の端末装置の一つに送信し、
前記権利を受信した後に、前記表示部に前記聖火を表す画像を表示させ、その後、前記権利を送信した後に、前記表示部に表示している前記聖火を表す画像を非表示とする制御を行う、
ことを含む処理を実行させる画像表示方法。
【発明の詳細な説明】
【技術分野】
【０００１】
開示の技術は、端末装置、サーバ、画像表示システム、画像表示プログラム、及び画像表示方法に関する。
【背景技術】
【０００２】
従来から、オリンピックでは、ギリシャのアテネからリアルな、本物の聖火を異なるトーチ間でリレーしていくことにより開催都市へ聖火を移す聖火リレーがなされている。
【０００３】
ところで、電子的データを他の装置との間で通信する技術として、アプリケーションで利用可能なデータを他の装置との間でいわゆる、すれちがい通信する技術が知られている。
【先行技術文献】
【特許文献】
【０００４】
【特許文献１】特開２０１４−２０９２７９号公報
【発明の概要】
【発明が解決しようとする課題】
【０００５】
本物の聖火リレーでは、選ばれたランナーしか参加できないため、限られた人数しか参加できない。
【０００６】
また、物理的な炎である聖火をリレーすることは、必ずしも容易ではない。しかしながら、電子的に聖火リレーを、多くの参加者により行うための技術は未だ確立されていなかった。
【０００７】
開示の技術は一つの側面として、電子的な聖火リレーを行うことを目的とする。
【課題を解決するための手段】
【０００８】
１つの態様では、端末装置であって、聖火を表す画像を含む聖火リレー用画像を表示する表示部と、前記聖火を表す画像を表示する権利を近距離無線通信により受信する第１受信部と、を備える。また、端末装置は、自装置から所定の範囲内に存在する他の端末装置に、前記第１受信部が受信した前記権利を近距離無線通信により送信する第１送信部を備える。さらに端末装置は、表示制御部を備える。表示制御部は、前記第１受信部が前記権利を受信した後に、前記表示部に前記聖火を表す画像を表示させる表示制御を行う。また、表示制御部は、前記第１送信部が前記権利を送信した後に、前記表示部に表示している前記聖火を表す画像を非表示とする非表示制御を行う。
【発明の効果】
【０００９】
一つの側面として、電子的な聖火リレーを行うことができる、という効果を有する。
【図面の簡単な説明】
【００１０】
【図１】第１実施形態に係る画像表示システムの一例の概略構成を示す図である。
【図２】第１実施形態の画像表示システムにおける聖火リレーを説明するための図である。
【図３】第１実施形態に係る端末装置及びサーバの一例の概略構成を示すブロック図である。
【図４】ユーザＤＢに格納されるユーザテーブルの具体例である。
【図５】聖火ＤＢに格納される聖火テーブルの具体例である。
【図６】すれちがいログＤＢに格納されるすれちがいログテーブルの具体例である。
【図７】第１実施形態に係る端末装置として機能するコンピュータの概略構成を示すブロック図である。
【図８】第１実施形態に係るサーバとして機能するコンピュータの概略構成を示すブロック図である。
【図９】第１実施形態に係る画像表示システムにおける聖火リレーを説明するためのタイミングチャートである。
【図１０】第１実施形態に係る端末装置で行われる画像表示処理の一例のフローチャートである。
【図１１】第１実施形態に係る端末装置の第１通信部、すれちがいＩＤ設定部、及び第２通信部で行われる受信処理の一例のフローチャートである。
【図１２】第１実施形態に係る端末装置のすれちがいＩＤ設定部、第２通信部、及び表示制御部で行われる送信処理の一例のフローチャートである。
【図１３】第１実施形態に係るサーバで行われるサーバ処理の一例のフローチャートである。
【図１４】送信側の端末装置と受信側の端末装置との距離の所定の範囲を説明するための図である。
【図１５】聖火に対応付けられている添付情報の表示例を示す図である。
【図１６】第１実施形態に係るサーバで行われるサーバ処理の変形例のフローチャートである。
【図１７】第２実施形態に係る端末装置及びサーバの一例の概略構成を示すブロック図である。
【図１８】第２実施形態に係る端末装置として機能するコンピュータの概略構成を示すブロック図である。
【図１９】第２実施形態に係るサーバとして機能するコンピュータの概略構成を示すブロック図である。
【図２０】第２実施形態に係るサーバで行われる通信制御サーバ処理の一例のフローチャートである。
【図２１】第２実施形態に係る端末装置で行われる通信制御端末処理の一例のフローチャートである。
【図２２】第２実施形態に係るサーバで行われるサーバ処理の一例のフローチャートである。
【図２３】第２実施形態に係る端末装置で行われる送信処理の一例のフローチャートである。
【図２４】優先度に基づいて受信側の端末装置を選択する場合の、サーバにおけるサーバ処理の一例のフローチャートである。
【図２５】聖火台を備えた場合の画像表示システムの一例の概略構成を示す図である。
【図２６】受信側の端末装置にサーバから聖火リレー用画像または聖火画像を送信する場合の画像表示システムにおけるタイムチャートである。
【図２７】送信側の端末装置から受信側の端末装置に順次、聖火リレー用画像または聖火画像が送信される場合の画像表示システムにおけるタイムチャートである。
【図２８】聖火の経路（リレーされた経路）を端末装置の表示部に表示させた場合の具体例を示す図である。
【発明を実施するための形態】
【００１１】
以下、図面を参照して開示の技術の一例を詳細に説明する。
［第１実施形態］
図１には、本実施形態に係る画像表示システム１０の概略構成図を示す。図１に示すように、本実施形態の画像表示システム１０は、端末装置１２１〜１２３及びサーバ１４を備える。なお、以下では、端末装置１２１〜１２３について総称する場合は、個々を表す符号「１」、「２」、「３」を付さずに「端末装置１２」という。
【００１２】
本実施形態の端末装置１２は、移動端末や携帯情報端末等であり、具体例としてスマートフォンやタブレット端末に代表されるＰＤＡ（Personal Digital Assistants）等が挙げられる。なお、図１では、画像表示システム１０が３つの端末装置１２を備える場合を示したが、端末装置１２の数は複数であればよく、特に限定されるものではない。
【００１３】
本実施形態の画像表示システム１０は、端末装置１２から近距離無線通信が可能な他の端末装置１２の１つに対して、サーバ１４を介して聖火リレーを電子的に行う。図１では、具体例として、端末装置１２１から端末装置１２２へ、端末装置１２２から端末装置１２３へ聖火リレーが行われる状態を示している。
【００１４】
具体的には、本実施形態の画像表示システム１０では、実際の物質（聖火やトーチ）を用いずに、各端末装置１２の表示部（図２、表示部３０参照）に表示させた聖火リレー用画像（図２参照）を用いて、聖火リレーを行う。より具体的には、端末装置１２から他の端末装置１２へ、聖火リレー用画像の聖火を表す画像（以下、「聖火画像」という）を表示する権利をリレーすることにより聖火リレーを行う。なお、本実施形態では、端末装置１２が聖火画像を表示する権利のことを単に「聖火」と称する場合がある。
【００１５】
図２には、本実施形態の画像表示システム１０における聖火リレーを説明するための図を示す。図２（２）に示すように、本実施形態の聖火リレー用画像１は、聖火画像１Ａ及びトーチを表す画像（以下、「トーチ画像」という）１Ｂを含む。聖火をまだ受け取っていない場合、図２（１）に示すように、端末装置１２の表示部３０には、聖火リレー用画像１のトーチ画像１Ｂのみが表示され、聖火画像１Ａは非表示とされている。聖火を受け取った場合は、図２（２）に示すように、端末装置１２の表示部３０には、聖火画像１Ａが表示される。その後、聖火を他の端末装置１２に渡した場合は、図２（３）に示すように、端末装置１２の表示部３０に表示されていた聖火画像１Ａが非表示とされ、聖火リレー用画像１のトーチ画像１Ｂのみが表示される。
【００１６】
なお、本実施形態の画像表示システム１０では、具体例として、複数の聖火が並行してリレーされるが、１つの端末装置１２が所持できるのは、１つの聖火のみとしている。そのため、端末装置１２は、既に聖火を所持している場合は、他の聖火を受け取ることができないが、所持している聖火を渡した後は、聖火を受け取ることができるようになる。
【００１７】
端末装置１２と、サーバ１４とは、ネットワーク１６を介して無線通信により通信を行う。端末装置１２とサーバ１４との間で行われる無線通信の具体例としては、ＷｉＦｉ（Wireless Fidelity）や３Ｇ（3rd Generation）等を用いた通信が挙げられる。なお、本実施形態における「無線通信」とは、ネットワーク１６を介して行う通信のことをいう。
【００１８】
また、端末装置１２同士は、近距離無線通信により通信を行う。端末装置１２同士の間で行われる近距離無線通信の具体例としては、Ｂｌｕｅｔｏｏｔｈ（登録商標）等を用いた通信が挙げられる。なお、本実施形態における「近距離無線通信」とは、ネットワーク１６を介さずに直接的に装置間で無線通信を行うことをいう。
【００１９】
より具体的には、端末装置１２は、聖火リレー用画像１の表示に関する情報（聖火画像１Ａを表示する権利）を近距離無線通信を用いて自動的に（ユーザの操作無しに）他の端末装置１２との間で通信することができる。本実施形態では、このように自動的に端末装置１２間で近距離無線通信により行う通信を「すれちがい通信」という。
【００２０】
すれちがい通信は、例えば端末装置１２が、本実施形態における聖火リレーのアプリケーションを実行している場合に実行される。また、すれちがい通信は、ユーザが他のアプリケーションに対する操作を行っている場合や、端末装置１２がいわゆるスリープ状態（スタンバイ状態等）の場合においても、バックグラウンド処理として実行される。
【００２１】
端末装置１２は、すれちがい通信において、近距離無線通信の通信範囲内に存在する不特定の他の端末装置１２の検出を繰り返し行う。そして、端末装置１２は、検出した他の端末装置１２に対して、すれちがいＩＤ（Identification）を自動的に送信することによりすれ違い通信を行う。
【００２２】
図３には、本実施形態の端末装置１２及びサーバ１４の一例の概略構成を示すブロック図を示す。
【００２３】
なお、図３では、端末装置１２１について図示したが、他の端末装置１２２、１２３も、図３に示した端末装置１２１と同様である。
【００２４】
図３に示すように本実施形態の端末装置１２は、第１通信部２０、すれちがいＩＤ設定部２１、第２通信部２２、表示制御部２４、送信制御部２６、測位部２８、表示部３０、及び聖火リレー用画像ＤＢ（データベース）３２を備える。
【００２５】
第１通信部２０は、近距離無線通信により通信を行う機能を有する。本実施形態では、上述したように、第１通信部２０により他の端末装置１２と通信を行う。
【００２６】
第２通信部２２は、無線通信によりネットワーク１６を介して通信を行う機能を有する。本実施形態では、上述したように、第２通信部２２により、ネットワーク１６を介してサーバ１４と通信を行う。
【００２７】
すれちがいＩＤ設定部２１は、所定のタイミングですれちがいＩＤをサーバ１４に発行させ、サーバ１４が発行したすれちがいＩＤを設定する機能を有する。本実施形態の端末装置１２では、外部装置が偽ビーコンによりすれちがいＩＤを偽装してあたかも端末装置１２になりすます、いわゆる「なりすまし」、を防止するため、所定のタイミングですれちがいＩＤの設定を更新する。
【００２８】
本実施形態では、所定のタイミングの具体例として、すれちがいＩＤを設定してから所定時間以上経過した場合、及びすれちがいＩＤを設定してから端末装置１２が所定距離以上移動した場合の少なくとも一方を満たす場合としている。そのため、すれちがいＩＤ設定部２１は、すれちがいＩＤを設定してからの経過時間を計測し、また、設定した際の端末装置１２の位置を測位部２８から取得してすれちがいＩＤに設定位置として対応付けておく。なお、これら所定時間及び所定距離は特に限定されるものではない。例えば、実験的に得られた所定時間及び所定距離を定めてもよい。
【００２９】
なお、所定のタイミングはこれらに限定されない。例えば、上記所定のタイミングは、すれちがいＩＤを端末装置１２に設定したタイミングを基準としているが、サーバ１４がすれちがいＩＤを発行したタイミングを基準としてもよい。
【００３０】
表示制御部２４は、聖火リレー用画像１の表示に関する制御を行う機能を有する。具体的には、表示制御部２４は、聖火画像１Ａを表示する権利を受信したことに応じて表示部３０に聖火画像１Ａを表示させる表示制御を行う。また、表示制御部２４は、他の端末装置１２において聖火画像１Ａが表示されることが確認された場合は、表示部３０に表示された聖火画像１Ａを非表示にする非表示制御を行う。
【００３１】
送信制御部２６は、聖火画像１Ａを表示する権利の送信を制御する機能を有する。具体的には、送信制御部２６は、予め定められた送信条件（詳細後述）を満たした場合に、聖火画像１Ａを表示する権利（すれちがいＩＤ）を送信するよう第１通信部２０を制御する。
【００３２】
測位部２８は、端末装置１２の現在位置を測位する機能を有する。測位部２８が現在位置を測位する方法は特に限定されず、例えば、ＧＰＳ（Global Positioning System）を用いた方法や、基地局測位を用いた方法等が挙げられる。
【００３３】
表示部３０は、いわゆるディスプレイであり、聖火リレー用画像１を表示可能なものであれば特に限定されない。
【００３４】
聖火リレー用画像ＤＢ３２は、聖火リレー用画像１の画像データを格納する。上述したように、本実施形態の画像表示システム１０では、複数の聖火が並行してリレーされるため、聖火リレー用画像ＤＢ３２には、聖火毎に異なる聖火リレー用画像１の画像データが格納されている。本実施形態では、聖火リレー用画像１の画像データは、予め聖火リレー用画像ＤＢ３２に格納しておくが、適宜、サーバ１４等から取得して、聖火リレー用画像ＤＢ３２に格納してもよい。なお、本実施形態では、聖火毎に聖火を識別するための符号として聖火ＩＤが対応付けられている。そのため、聖火リレー用画像ＤＢ３２には、聖火リレー用画像１の画像データと聖火ＩＤとが対応付けて格納されている。
【００３５】
一方、本実施形態のサーバ１４は、通信部４０、すれちがいＩＤ発行部４２、判定部４４、ユーザＤＢ４６、聖火ＤＢ４８、及びすれちがいログＤＢ５０を備える。
【００３６】
通信部４０は、無線通信によりネットワーク１６を介して通信を行う機能を有する。本実施形態では、上述したように、通信部４０によりネットワーク１６を介して端末装置１２と通信を行う。
【００３７】
すれちがいＩＤ発行部４２は、すれちがい通信を行うためのすれちがいＩＤを発行する機能を有する。発行されたすれちがいＩＤは、聖火を渡す側（以下、「送信側」という）の端末装置１２に送信される。
【００３８】
判定部４４は、すれちがい通信が成立したか否かを判定する機能を有する。具体的には、判定部４４は、予め定められた表示条件に基づいて、端末装置１２が聖火を表示する（受け取る）か否かを判定する。判定部４４は、予め定められた表示条件を満たす場合は端末装置１２が聖火を受け取ると判定し、これによりすれちがい通信が成立したと判定する。なお、本実施形態の画像表示システム１０では、すれちがい通信が成立することが、送信側の端末装置１２から受信側の端末装置１２へ聖火を所持する権利が移動する条件になる。そのため、聖火を所持する権利を送信した、または、受信したことのみをもって、権利そのものが移動することはない。
【００３９】
ユーザＤＢ４６は、ユーザ（端末装置１２）毎に作成されたユーザテーブルを格納する。図４には、ユーザＤＢ４６に格納されるユーザテーブルの具体例を示す。
【００４０】
ユーザテーブルには、ユーザＩＤ、現在位置、すれちがいＩＤ、すれちがいＩＤ発行時間、及びその他属性が対応付けられている。ユーザＩＤは、各端末装置１２を識別するための符号である。ユーザＩＤは、端末装置１２毎に予め設定されているＩＤ等を用いてもよいし、ユーザにより予め設定されたＩＤであってもよい。
【００４１】
現在位置は、ユーザＩＤに対応する端末装置１２の現在位置であり、図４に示した具体例では、緯度及び経度で表している。また、すれちがいＩＤは、サーバ１４がすれちがい通信を行うにあたりユーザ単位（端末装置１２単位）で発行するすれちがい通信認識用の符号である。なお、本実施形態の画像表示システム１０では、上述したように所定のタイミングで、すれちがいＩＤが更新される。また、すれちがいＩＤ発行時間は、すれちがいＩＤ発行部４２がすれちがいＩＤを発行した時間である。また、その他属性は、ユーザ自身や端末装置１２が属する情報であり、例えば、ユーザの居住地域等が挙げられる。なお、その他属性は、本実施形態では用いないため、ユーザＤＢ４６に格納することは必須ではない。しかしながら、当該その他属性は、他の処理で用いられることがあるためユーザテーブルに含めておき、ユーザＤＢ４６内に共に格納している。
【００４２】
聖火ＤＢ４８は、聖火毎に作成された聖火テーブルを格納する。図５には、聖火ＤＢ４８に格納される聖火テーブルの具体例を示す。
【００４３】
聖火テーブルには、聖火ＩＤ、所持ユーザＩＤ、画像等、及び添付情報等が対応付けられている。所持ユーザＩＤは、該聖火を現在所持しているユーザ（端末装置１２）のユーザＩＤである。画像等は、画像データに関する情報であり、本実施形態では用いないため、聖火ＤＢ４８に格納することは必須ではない。しかしながら、当該画像データに関する情報は、他の処理で用いられることがあるため聖火テーブルに含めておき、聖火ＤＢ４８内に共に格納している。添付情報は、聖火画像に添付して端末装置１２に表示させる情報である。添付情報の具体例としては、聖火を主催する企業のクーポンや、種々のコメント等（いずれも詳細後述）などが挙げられる。
【００４４】
すれちがいログＤＢ５０は、聖火毎に、すれちがいログテーブルを格納する。図６には、すれちがいログＤＢ５０に格納されるすれちがいログテーブルの具体例を示す。
【００４５】
すれちがいログテーブルには、聖火ＩＤ、所持ユーザＩＤ、受信時間、受信場所、送信時間、送信場所、送信先ユーザＩＤ、及びコメントが対応付けられている。
【００４６】
所持ユーザＩＤは、聖火を所持したことがあるユーザ（端末装置１２）のユーザＩＤである。受信時間及び受信場所は、ユーザが聖火を受信した際の時間及び場所（例えば、サーバ１４が詳細を後述する聖火検出情報を受信した時間、及び聖火検出情報に含まれる位置情報）である。送信時間及び送信場所は、ユーザが聖火を送信した際の時間及び場所（例えば、すれちがいＩＤを生成した際の時間及び場所）である。送信先ユーザＩＤは、聖火を渡した先のユーザ（受信側の端末装置１２）のユーザＩＤである。
【００４７】
なお、端末装置１２は、例えば図７に示すコンピュータ６０で実現することができる。より具体的には、端末装置１２は携帯情報端末として機能するコンピュータ６０で実現することができる。コンピュータ６０は、表示部３０、ＣＰＵ（Central Processing Unit）６２、メモリ６４、不揮発性の記憶部６６、無線通信Ｉ／Ｆ（インターフェース）６８、及び近距離無線通信Ｉ／Ｆ７０を備える。表示部３０、ＣＰＵ（Central Processing Unit）６２、メモリ６４、記憶部６６、無線通信Ｉ／Ｆ６８、及び近距離無線通信Ｉ／Ｆ７０は、バス７１を介して互いに接続されている。無線通信Ｉ／Ｆ６８は、ネットワーク１６に接続される。
【００４８】
記憶部６６はＨＤＤ（Hard Disk Drive）やフラッシュメモリ等によって実現できる。記憶媒体としての記憶部６６には、コンピュータ６０を端末装置１２として機能させるための画像表示プログラム７２が記憶されている。ＣＰＵ６２は、画像表示プログラム７２を記憶部６６から読み出してメモリ６４に展開し、画像表示プログラム７２が有する各プロセスを順次実行する。
【００４９】
画像表示プログラム７２は、第１通信プロセス７４、すれちがいＩＤ設定プロセス７５、第２通信プロセス７６、表示制御プロセス７８、送信制御プロセス８０、及び測位プロセス８２を有する。
【００５０】
また、記憶部６６の聖火リレー用画像ＤＢ記憶領域８４は、聖火リレー用画像ＤＢ３２が記憶される記憶領域として機能する。
【００５１】
ＣＰＵ６２は、第１通信プロセス７４を実行することで、第１通信部２０として動作する。また、ＣＰＵ６２は、すれちがいＩＤ設定プロセス７５を実行することで、すれちがいＩＤ設定部２１として動作する。また、ＣＰＵ６２は、第２通信プロセス７６を実行することで、第２通信部２２として動作する。また、ＣＰＵ６２は、表示制御プロセス７８を実行することで、表示制御部２４として動作する。また、ＣＰＵ６２は、送信制御プロセス８０を実行することで、送信制御部２６として動作する。また、ＣＰＵ６２は、測位プロセス８２を実行することで、測位部２８として動作する。
【００５２】
これにより、画像表示プログラム７２を実行したコンピュータ６０が、端末装置１２として機能する。
【００５３】
また、サーバ１４は、例えば図８に示すコンピュータ９０で実現することができる。より具体的には、サーバ１４は、サーバとして機能するコンピュータ９０で実現することができる。コンピュータ９０は、ＣＰＵ９２、メモリ９４、不揮発性の記憶部９６、及び無線通信Ｉ／Ｆ９８を備える。ＣＰＵ９２、メモリ９４、不揮発性の記憶部９６、及び無線通信Ｉ／Ｆ９８は、バス９９を介して互いに接続されている。無線通信Ｉ／Ｆ９８は、ネットワーク１６に接続される。
【００５４】
記憶部９６はＨＤＤ（Hard Disk Drive）やフラッシュメモリ等によって実現できる。記憶媒体としての記憶部９６には、コンピュータ９０をサーバ１４として機能させるためのサーバプログラム１００が記憶されている。ＣＰＵ９２は、サーバプログラム１００を記憶部９６から読み出してメモリ９４に展開し、サーバプログラム１００が有する各プロセスを順次実行する。
【００５５】
サーバプログラム１００は、通信プロセス１０２、すれちがいＩＤ発行プロセス１０４、及び判定プロセス１０６を有する。
【００５６】
また、記憶部９６のユーザＤＢ記憶領域１０８は、ユーザＤＢ４６が記憶される記憶領域として機能する。記憶部９６の聖火ＤＢ記憶領域１１０は、聖火ＤＢ４８が記憶される記憶領域として機能する。記憶部９６のすれちがいログＤＢ記憶領域１１２は、すれちがいログＤＢ５０が記憶される記憶領域として機能する。
【００５７】
ＣＰＵ９２は、通信プロセス１０２を実行することで、通信部４０として動作する。また、ＣＰＵ９２は、すれちがいＩＤ発行プロセス１０４を実行することで、すれちがいＩＤ発行部４２として動作する。また、ＣＰＵ９２は、判定プロセス１０６を実行することで、判定部４４として動作する。
【００５８】
これにより、画像表示プログラム１０２を実行したコンピュータ９０が、サーバ１４として機能する。
【００５９】
なお、コンピュータ９０は、いわゆるデスクトップ型のパーソナルコンピュータに限定されない。コンピュータ９０は、ラップトップ型のパーソナルコンピュータであってもよいし、タブレット端末やスマートフォンに代表されるＰＤＡ等であってもよい。
【００６０】
なお、端末装置１２及びサーバ１４は、例えば半導体集積回路、より詳しくはＡＳＩＣ（Application Specific Integrated Circuit）等で実現することも可能である。
【００６１】
次に、本実施形態に係る画像表示システム１０の動作について説明する。まず、本実施形態の画像表示システム１０において行われる聖火リレーの流れの概略について説明する。図９には、本実施形態に係る画像表示システム１０において行われる聖火リレーを説明するためのタイミングチャートを示す。なお、ここでは、具体例として、端末装置１２１から端末装置１２２に聖火をリレーする場合について説明する。
【００６２】
開始時点では、端末装置１２１の表示部３０には聖火画像１Ａが表示されている（図２（２）参照）。また、端末装置１２２の表示部３０には、聖火画像１Ａが未だ表示されていない（図２（１）参照）。
【００６３】
送信側の端末装置１２１では、まず、現在位置を取得して、現在位置の位置情報をサーバ１４に送信する（Ｓ１０）。
【００６４】
サーバ１４は、位置情報を端末装置１２１から受信すると、すれちがいＩＤを発行する（Ｓ３０）。発行したすれちがいＩＤは、端末装置１２１に送信される。
【００６５】
端末装置１２１は、サーバ１４から受信したすれちがいＩＤをすれちがいＩＤ設定部２１により設定する（Ｓ１２）。
【００６６】
その後、端末装置１２１は、予め定められた送信条件を満たした場合（Ｓ１４）に、すれちがいＩＤを含む近距離無線用信号を送信する（Ｓ１６）。
【００６７】
聖火が渡される側（以下、「受信側」という）の端末装置１２２は、すれちがい通信により、端末装置１２１から送信されたすれちがいＩＤを含む近距離無線用信号を受信する（Ｓ５０）。
【００６８】
端末装置１２２は、現在位置を取得して、現在位置の位置情報及び端末装置１２１から受信したすれちがいＩＤを聖火検出情報としてサーバ１４に送信する（Ｓ５２）。
【００６９】
サーバ１４は、端末装置１２２から受信した位置情報及びすれちがいＩＤに基づいて、予め定められた表示条件を満たすか否かを判定する（Ｓ３４）。
【００７０】
サーバ１４は、予め定められた表示条件を満たす場合は、すれちがい通信が成立したため、すれちがい成立通知を端末装置１２１及び端末装置１２２に送信する（Ｓ３６Ａ）。
【００７１】
本実施形態の画像表示システム１０では、すれちがい通信が成立すると、聖火画像１Ａを表示する権利が送信側の端末装置１２から受信側の端末装置１２に移動する。そのため、すれちがい成立通知は、権利が移動する聖火の聖火ＩＤを含み、すれちがい成立通知を受信した端末装置１２１は、上記聖火ＩＤに対応する表示部３０に表示されている聖火画像１Ａを非表示とする非表示制御を行う（Ｓ１８）。また、すれちがい成立通知を受信した端末装置１２２は、聖火ＩＤに対応する表示部３０に聖火画像１Ａを表示させる表示制御を行う（Ｓ５４）。これにより、聖火リレーが行われたことになる。
【００７２】
一方、サーバ１４は、予め定められた表示条件を満たさない場合は、聖火が受け渡されなかったため、すれちがい不成立通知を端末装置１２２に送信する（Ｓ３６Ｂ）。
【００７３】
本実施形態の画像表示システム１０では、すれちがい通信が不成立の場合は、聖火画像１Ａを表示する権利が送信側の端末装置１２から受信側の端末装置１２に移動することがない。
【００７４】
すれちがい不成立通知を受信した端末装置１２２は、権利を所持していないため表示制御を行わず、表示部３０には聖火画像１Ａが表示されない。また、端末装置１２１は、権利を所持したままであるため、非表示制御を行わず、表示部３０には聖火画像１Ａが表示されたままとなる。
【００７５】
次に、端末装置１２及びサーバ１４毎に、各装置で行われる処理の詳細について説明する。まず、端末装置１２で行われる画像表示処理について説明する。
【００７６】
図１０には、端末装置１２で行われる画像表示処理の一例のフローチャートを示す。図１０に示した画像表示処理は、例えば、端末装置１２において聖火リレー用アプリケーションが起動（バックグラウンド処理を含む）されている場合に実行される。
【００７７】
ステップＳ１００で第１通信部２０は、すれちがいＩＤを検出したか否かを判断する。本実施形態の端末装置１２では、すれちがい通信を行うために、聖火リレーであることを表す符号及びすれちがいＩＤを含む近距離無線用信号を、所定のタイミングで自動的に他の端末装置１２に第１通信部２０から送信する。具体例として、端末装置１２は、聖火リレーであることを表す符号が「seika」、すれちがいＩＤが「abcd」の場合、「seika:abcd」という情報を第１通信部２０から送信する。そのため、第１通信部２０は、該情報を受信した場合は、該情報に含まれるすれちがいＩＤを検出する。
【００７８】
すれちがいＩＤを検出していない場合、すなわち、該情報を受信していない場合は、否定判定となりステップＳ１０４へ移行する。
【００７９】
ステップＳ１０４で第１通信部２０は、すれちがい成立通知を受信したか否かを判断する。すれちがい通信が成立していない場合は、否定判定となりステップＳ１０６へ移行する。
【００８０】
ステップＳ１０６で、送信制御部２６は、聖火を所持しているか否かを判断する。本実施形態の端末装置１２では、具体例として聖火を所持している場合は、聖火リレー用画像ＤＢ３２に格納されている、聖火リレー用画像１にフラグをたてておく。送信制御部２６は、当該フラグの有無により、聖火を所持しているか否かを判断する。聖火を所持していない場合は、否定判定となりステップＳ１１４へ移行する。一方、聖火を所持している場合は、肯定判定となりステップＳ１０８へ移行する。
【００８１】
ステップＳ１０８で送信制御部２６は、所持している聖火を他の端末装置１２に渡すために、送信条件を満たすか否かを判断する。これにより、送信制御部２６は、聖火画像１Ａを表示する権利を第１通信部２０から送信するか否かを判断する。
【００８２】
本実施形態の端末装置１２では、上述したように、バックグラウンド処理によって、本画像表示処理が動作する場合がある。このような場合、端末装置１２のユーザが表示部３０に表示された（または表示されているはず）の聖火画像１Ａを見ることなく他の端末装置１２へ聖火が渡される可能性がある。そのため、本実施形態の送信制御部２６は、ユーザによる確認操作が行われた場合を予め定められた送信条件とし、当該予め定められた送信条件を満たした場合に、聖火画像１Ａを表示する権利の送信が可能と判断する。なお、上記ユーザによる確認操作をどのように行うか、及びその判断方法は特に限定されるものではない。例えば、端末装置１２が操作部（図示省略）を備え、表示部３０に表示された聖火画像１Ａに対してフリックやダブルタップ等の操作が行われたことを検出した場合に、確認操作が行われたと判断するようにしてもよい。
【００８３】
なお、多くのユーザ間で聖火リレーが行えるようにするためには、１つの端末装置１２が聖火を長時間に亘り所持していることは好ましくない。そのため、本実施形態の送信制御部２６は、端末装置１２が聖火画像１Ａを表示する権利を受信してから所定の時間が経過した場合は、ユーザによる上記確認操作が行われなくとも、予め定められた送信条件を満たすと判断する。なお、表示部３０に聖火画像１Ａを表示してから所定の時間が経過した場合に、予め定められた送信条件を満たすと判断してもよい。
【００８４】
予め定められた送信条件を満たさない場合は、否定判定となりステップＳ１１４へ移行する。一方、予め定められた送信条件を満たす場合は、肯定判定となりステップＳ１１０へ移行する。
【００８５】
ステップＳ１１０では第１通信部２０、すれちがいＩＤ設定部２１、及び第２通信部２２により送信処理が行われる。図１１には、本実施形態の第１通信部２０、すれちがいＩＤ設定部２１、及び第２通信部２２により行われる送信処理の一例のフローチャートを示す。
【００８６】
ステップＳ２００ですれちがいＩＤ設定部２１は、すれちがいＩＤが設定済みであるか否かを判断する。既に設定されている場合は、肯定判定となりステップＳ２０２へ移行する。
【００８７】
ステップＳ２０２ですれちがいＩＤ設定部２１は、現在のすれちがいＩＤの設定後、所定時間経過したか否かを判断する。所定時間が経過した場合は、肯定判定となりステップＳ２０６へ移行する。一方、所定時間が経過していない場合は、否定判定となりステップＳ２０４へ移行する。
【００８８】
ステップＳ２０４ですれちがいＩＤ設定部２１は、現在のすれちがいＩＤの設定後に端末装置１２が所定距離以上移動したか否かを判断する。具体的には、すれちがいＩＤ設定部２１は、測位部２８から取得した現在の端末装置１２の位置と、現在のすれちがいＩＤの設定位置とに基づいて端末装置１２の移動距離を導出し、導出した移動距離が所定距離以上であるか否かを判断する。所定距離以上移動した場合は、肯定判定となりステップＳ２０６へ進む。一方、否定判定となった場合は、ステップＳ２１４へ進む。
【００８９】
ステップＳ２０６ですれちがいＩＤ設定部２１は、測位部２８から端末装置１２の現在位置を取得する。
【００９０】
次のステップＳ２０８で第２通信部２２は、現在位置の位置情報をサーバ１４へ送信する。上述したようにサーバ１４のすれちがいＩＤ発行部４２は、端末装置１２から位置情報を受信したことに応じて、すれちがいＩＤを発行する。そのため、次のステップＳ２１０で第２通信部２２は、すれちがいＩＤを受信したか否かを判断し、受信するまでは否定判定となり待機状態となる。一方、すれちがいＩＤを受信した場合は、肯定判定となりステップＳ２１２へ移行する。
【００９１】
ステップＳ２１２ですれちがいＩＤ設定部２１は、受信したすれちがいＩＤに現在のすれちがいＩＤを更新した後、ステップＳ２１４へ移行する。
【００９２】
ステップＳ２１４で第１通信部２０は、現在のすれちがいＩＤを含む近距離無線用信号を送信した後、本送信処理を終了する。
【００９３】
このようにして、ステップＳ１１０における送信処理が終了すると、画像表示処理のステップＳ１１４へ移行する。
【００９４】
一方、ステップＳ１０４ですれちがい成立通知を受信した場合は、肯定判定となりステップＳ１１２へ移行する。
【００９５】
ステップＳ１１２で表示制御部２４は、表示部３０に表示されている聖火画像１Ａを非表示とする非表示制御を行った後、ステップＳ１１４へ移行する。すれちがい通信が成立したことにより、すれちがい先（受信側）の端末装置１２に聖火が渡されて聖火画像１Ａが表示されるようになり、送信側の端末装置１２では、聖火画像１Ａが非表示になる。
【００９６】
また、ステップＳ１００ですれちがいＩＤが検出された場合は、肯定判定となりステップＳ１０２へ移行する。ステップＳ１０２ですれちがいＩＤ設定部２１、第２通信部２２、及び表示制御部２４により受信処理が行われる。図１２には、本実施形態のすれちがいＩＤ設定部２１、第２通信部２２、及び表示制御部２４により行われる受信処理の一例のフローチャートを示す。
【００９７】
ステップＳ２３０ですれちがいＩＤ設定部２１は、測位部２８から端末装置１２の現在位置を取得する。
【００９８】
次のステップＳ２３２で第２通信部２２は、現在位置の位置情報及び上記ステップＳ１００で検出したすれちがいＩＤを聖火検出情報として、サーバ１４へ送信する。
【００９９】
上述したように、聖火検出情報を受信したサーバ１４は、予め定められた表示条件を満たす場合はすれちがい成立通知を、満たさない場合はすれちがい不成立通知を受信側の端末装置１２に送信する。
【０１００】
そこで、次のステップＳ２３４で表示制御部２４は、すれちがいが成立したか否かを判断する。具体的には、第２通信部２２がすれちがい成立通知を受信した場合は、すれちがいが成立したと判断し、第２通信部２２がすれちがい不成立通知を受信した場合は、すれちがいが不成立であると判断する。
【０１０１】
すれちがいが成立した場合は、肯定判定となりステップＳ２３６へ移行する。ステップＳ２３６で表示制御部２４は、表示部３０に聖火画像１Ａを表示させる表示制御を行った後、本受信処理を終了する。一方、すれちがいが不成立の場合は、否定判定となり本受信処理を終了する。
【０１０２】
このようにして、ステップＳ１０２における受信処理が終了すると、画像表示処理のステップＳ１１４へ移行する。
【０１０３】
ステップＳ１１４で第１通信部２０は、本画像表示処理を終了するか否かを判断する。終了しない場合は、否定判定となりステップＳ１００に戻り、本画像表示処理を繰り返す。一方、端末装置１２の電源がオフにされた場合や、聖火リレーのアプリケーションの実行が完全に停止した場合等は、肯定判定となり本画像表示処理を終了する。
【０１０４】
このように本実施形態の端末装置１２では、聖火が渡される場合は、ステップＳ１００で肯定判定となりステップＳ１０２の受信処理を行うことにより、表示部３０に聖火画像１Ａが表示されるようになる。また、端末装置１２では、ステップＳ１１０の送信処理を行うことにより、他の端末装置１２に聖火を渡すことができる。そして、端末装置１２では、聖火を渡した場合は、ステップＳ１０４で肯定判定となった後、ステップＳ１１２の処理を行うことにより、表示部３０に聖火画像１Ａが表示されなくなる。
【０１０５】
次に、サーバ１４で行われるサーバ処理について説明する。
【０１０６】
図１３には、サーバ１４で行われるサーバ処理の一例のフローチャートを示す。図１３に示したサーバ処理は、例えば、サーバ１４に電源が投入されると実行される。
【０１０７】
ステップＳ３００で通信部４０は、聖火を所持している端末装置１２から位置情報を受信したか否かを判断する。具体的には、通信部４０は、位置情報を端末装置１２から受信した場合に、聖火ＤＢ４８の聖火テーブルを参照して、現在聖火を所持している端末装置１２（図５、所持ユーザＩＤ参照）から位置情報を受信したか否かを判断する。受信した場合は、肯定判定となりステップＳ３０２へ移行する。
【０１０８】
ステップＳ３０２ですれちがいＩＤ発行部４２は、ユーザの位置情報を更新する。具体的には、すれちがいＩＤ発行部４２は、ユーザＤＢ４６に格納されている該ユーザに対応するユーザテーブルの現在位置（図４参照）を更新する。
【０１０９】
次のステップＳ３０４ですれちがいＩＤ発行部４２は、すれちがいＩＤを生成して、ユーザＤＢ４６に格納されている該ユーザに対応するユーザテーブルに登録する。また、すれちがいＩＤを発行した発行時間を対応付けて登録する（図４、すれちがいＩＤ及びすれちがいＩＤ発行時間参照）。
【０１１０】
次のステップＳ３０６で通信部４０は、生成したすれちがいＩＤを、位置情報を送信してきた端末装置１２（聖火を所持している端末装置１２）に送信した後、ステップＳ３２４へ移行する。
【０１１１】
一方、ステップＳ３００で位置情報を受信していない場合は、否定判定となりステップＳ３０８へ移行する。
【０１１２】
ステップＳ３０８で通信部４０は、聖火検出情報を受信したか否かを判断する。検出していない場合は、否定判定となりステップＳ３２４へ移行する。一方、検出した場合は、肯定判定となりステップＳ３１０へ移行する。なお、上述したように、聖火検出情報は、送信側の端末装置１２のすれちがいＩＤ及び受信側の端末装置１２の位置情報を含む。
【０１１３】
ステップＳ３１０で判定部４４は、聖火検出情報のすれちがいＩＤが存在するのか否かを判断する。いわゆるなりすましが生じた場合、受信したすれちがいＩＤが存在しない場合がある。例えば、すれちがいＩＤ発行部４２が発行したことがないすれちがいＩＤや、端末装置１２に対してすれちがいＩＤを再発行しているため現在は使用されていないすれちがいＩＤが用いられる場合がある。そこで、判定部４４は、ユーザＤＢ４６に格納されているユーザテーブル及び聖火ＤＢ４８に格納されている聖火テーブルを参照する。そして、判定部４４は、聖火検出情報のすれちがいＩＤに対応するユーザＩＤが所持ユーザＩＤとして登録されている場合は、すれちがいＩＤが存在すると判断する。すれちがいＩＤが存在しない場合は、否定判定となりステップＳ３２２へ移行する。一方、すれちがいＩＤが存在する場合は、肯定判定となりステップＳ３１２へ移行する。
【０１１４】
ステップＳ３１２で判定部４４は、聖火検出情報のすれちがいＩＤに対応するユーザ（端末装置１２）の現在位置を取得する。具体的には、判定部４４は、ユーザＤＢ４６に格納されているユーザテーブルを参照して、現在位置を取得する。
【０１１５】
次のステップＳ３１４で判定部４４は、聖火検出情報の位置情報と、ステップＳ３１２で取得したユーザの位置情報とが所定の範囲内であるか否かを判断する。
【０１１６】
一般に、すれちがいＩＤの信号は、偽装が可能であり、遠隔地からでもランダムで総当たりを行うことが可能であるため、いわゆる「なりすまし」が発生する懸念がある。ここで、偽装を行う側は、適当な第三者を画像表示システム１０に対する攻撃役として仕立てることが可能なため、上記のように総当たりを行うユーザ（端末装置１２）をサーバ１４等でブロックすることが困難な場合がある。
【０１１７】
しかしながら、本実施形態の聖火リレーを行う場合、すれちがい通信を行うため、送信側の端末装置１２及び受信側の端末装置１２の両者は、近接する位置に存在している。一方、送信側が、正当な端末装置１２ではない「なりすまし」の場合は、受信側の端末装置１２と近接する位置に存在していない可能性が高い。また、「なりすまし」側では、すれちがいＩＤと位置情報との組み合わせまでは推測することが困難である。
【０１１８】
送信側の端末装置１２と、受信側の端末装置１２との現在位置が所定の範囲内である場合は近接する位置に両者が存在する。そのため、本実施形態の画像表示システム１０では、送信側の端末装置１２と、受信側の端末装置１２との現在位置が所定の範囲内であるか否かを判断することにより、「なりすまし」を排除している。なお、所定の範囲は、固定された値であってもよいし、ユーザの移動を考慮した値であってもよい。ここで用いる送信側の端末装置１２の現在位置は、すれちがいＩＤを発行した際の端末装置１２の現在位置であるため、受信側の端末装置１２とすれ違った際の、実際の送信側の端末装置１２の現在位置と異なっている場合がある。そのため、例えば、図１４に示すように、送信側の端末装置１２の移動速度を考慮して、すれちがいＩＤを発行してからの経過時間に応じて、所定の範囲を変化させてもよい。この場合、図１４に示すように、すれちがいＩＤを発行してからの経過時間が長くなると、送信側の端末装置１２と受信側の端末装置１２との距離が長くなり、所定の範囲は広がる。
【０１１９】
所定の範囲は、例えば、第１通信部２０が行う近距離無線通信の有効範囲や、実験的に得られた送信側の端末装置１２と受信側の端末装置１２との距離等に基づいて定めてもよい。また、すれちがい通信が行われる際の一般的な端末装置１２間の距離を実験的に得ておき、当該距離を基準として所定の範囲を定めてもよい。
【０１２０】
所定の範囲内ではない場合は、否定判定となりステップＳ３２２へ移行する。一方、所定の範囲内である場合は、肯定判定となりステップＳ３１６へ移行する。
【０１２１】
ステップＳ３１６で判定部４４は、受信側の端末装置１２が同一の聖火を過去に受信したことがあるか否かを判断する。具体的には、判定部４４は、すれちがいログＤＢ５０に格納されているすれちがいログテーブルを参照して、同一の聖火を過去に所持したことがあるか否かを判断する。なお、「同一の聖火」とは、聖火ＩＤが同一の聖火のことをいう。
【０１２２】
所持したことがある場合は、肯定判定となりステップＳ３１８へ移行する。ステップＳ３１８で判定部４４は、前回所持してから所定時間以上が経過したか否かを判断する。同一のユーザが繰り返し聖火を所持することを制限することで、より多くのユーザが聖火リレーに参加することができるようになる。そのため、本実施形態の画像表示システム１０では、端末装置１２が聖火を所持すると、その後、所定時間内は、同一の聖火については受け取ることができないように、聖火を受け取ることができる時間を制限している。
【０１２３】
同一の聖火について、前回所持してから所定時間以上が経過した場合は、肯定判定となりステップＳ３２０へ移行する。
【０１２４】
ステップＳ３２０で通信部４０は、すれちがい通信が成立するため、すれちがい成立通知を送信側の端末装置１２及び受信側の端末装置１２に送信した後、ステップＳ３２４へ移行する。
【０１２５】
なお、すれちがい成立通知と共に、または、すれちがい通信の成立を条件として、聖火ＤＢ４８に格納されている聖火テーブルの添付情報やその他の情報を送信するようにしてもよい。添付情報としては、例えば、リレーを行っている聖火が企業等が主催するものである場合は、当該企業のクーポン券等が挙げられる。添付情報がクーポン券の場合、例えば、聖火の送信側の端末装置１２にクーポン券である添付情報を送信すればよい。そして、送信側の端末装置１２では、図１５（１）に示すように表示部３０には、聖火リレー用画像１の聖火画像１Ａは非表示となるが、クーポン画像２が表示されるようになる。
【０１２６】
また、添付情報としては、例えば、聖火やユーザへのコメントや、オリンピック選手のコメント等が挙げられる。添付情報がこのようなコメントの場合、例えば、聖火の受信側の端末装置１２にコメントである添付情報を送信すればよい。そして、受信側の端末装置１２では、図１５（２）に示すように表示部３０には、聖火リレー用画像１の聖火画像１Ａが表示され、また、コメント画像３が表示されるようになる。
【０１２７】
また、その他の情報としては、例えば、表示している（または表示した）聖火のリレー回数等が挙げられる。その他の情報がリレー回数の場合、例えば、サーバ１４は、すれちがいログＤＢ５０を参照して、聖火がリレーされた回数（端末装置１２間を移動した回数）を受信側の端末装置１２に送信すればよい。そして、受信側の端末装置１２では、図１５（３）に示すように表示部３０には、聖火リレー用画像１の聖火画像１Ａが表示され、また、リレー回数を表す画像４が表示されるようになる。
【０１２８】
一方、ステップＳ３１８で否定判定となった場合は、ステップＳ３２２へ移行する。ステップＳ３２２で通信部４０は、すれちがい通信が不成立であるため、すれちがい不成立通知を受信側の端末装置１２に送信した後、ステップＳ３２４へ移行する。
【０１２９】
ステップＳ３２４で通信部４０は、本サーバ処理を終了するか否かを判断する。終了しない場合は、否定判定となりステップＳ３００に戻り、本サーバ処理を繰り返す。一方、サーバ１４の電源がオフにされた場合等は、肯定判定となり本サーバ処理を終了する。
【０１３０】
なお、本実施形態では、同一の聖火について前回所持してから所定時間以上経過するまで再び所持することができない（図１３、ステップＳ３１６、Ｓ３１８参照）場合について説明したが、聖火の所持を制限する方法はこれに限らない。
【０１３１】
例えば、聖火を受け取ることができる時間を制限するのに代えて、または時間を制限するのと共に、過去に同一の聖火を所持したことがある回数が所定の回数を超えた場合は、それ以降、該聖火については所持できないようにしてもよい。
【０１３２】
具体的には、判定部４４は、すれちがいログＤＢ５０に格納されているすれちがいログテーブルを参照し、前回所持した時刻から現在時刻までの経過時間を検出し、経過時間が所定時間以上か否かを判断する。なお、ここで「前回所持した時刻」とは、端末装置１２が聖火を受け取った時間（受信時間）であってもよいし、聖火を渡した時間（送信時間）であってもよい。
【０１３３】
また、より多くのユーザにより聖火リレーを行うために、同一の聖火は、一度しか所持することができないようにしてもよい。図１６に、サーバ処理の変形例のフローチャートを示す。この場合、図１６に示すように、ステップＳ３１６で肯定判定となった場合は、ステップＳ３２２へ移行するようにすればよい。
［第２実施形態］
第１実施形態の画像表示システム１０では、聖火リレーにおいて、聖火を所持する権利の端末装置１２間での送受信を近距離無線通信を用いて行っていた。しかしながら、人口密度や、聖火リレーのアプリケーションを有するユーザ（端末装置１２）の密度が低い地域では、ユーザ同士がなかなかすれちがわない場合がある。
【０１３４】
そこで、本実施形態の画像表示システム１０Ａでは、このような場合に、端末装置１２間での通信を近距離無線通信から無線通信に切り替えることにより、すれちがいの頻度を増加させる。
【０１３５】
図１７には、本実施形態の画像表示システム１０Ａの本実施形態の端末装置１２Ａ及びサーバ１４Ａの一例の概略構成を示すブロック図を示す。
【０１３６】
図１７に示すように本実施形態の端末装置１２Ａは、第１実施形態の端末装置１２と異なり、通信制御部３４を備えている。通信制御部３４は、サーバ１４からの指示に応じて、第１通信部２０及び第２通信部２２のいずれにより他の端末装置１２に対してすれちがいＩＤを送信するかを切り替える機能を有する。
【０１３７】
また、図１７に示すように本実施形態のサーバ１４は、第１実施形態のサーバ１４と異なり、人口密度ＤＢ５２及び通信制御部５４を備えている。人口密度ＤＢ５２には、一般的な人口密度（例えば、日本国内の各都道府県の人口密度）に関する情報が格納されている。
【０１３８】
通信制御部５４は、人口密度に応じて、聖火を所持する端末装置１２の通信先（通信方法）の端末装置１２を制御する機能を有する。
【０１３９】
端末装置１２Ａは、例えば図１８に示すコンピュータ６０Ａで実現することができる。より具体的には、端末装置１２Ａは携帯情報端末として機能するコンピュータ６０Ａで実現することができる。コンピュータ６０Ａは、第１実施形態のコンピュータ６０の記憶部６６に代わり記憶部６６Ａを備えている。
【０１４０】
記憶部６６Ａには、通信制御端末プログラム７３がさらに記憶されている。通信制御端末プログラム７３は、通信制御プロセス８３を有する。
【０１４１】
ＣＰＵ６２は、通信制御端末プログラム７３を記憶部６６Ａから読み出してメモリ６４に展開し、通信制御プロセス８３を実行することで通信制御部３４として動作する。
【０１４２】
これにより、通信制御端末プログラム７３を実行したコンピュータ６０Ａが、端末装置１２Ａとして機能する。
【０１４３】
また、サーバ１４は、例えば図１９に示すコンピュータ９０Ａで実現することができる。より具体的には、画像処理装置サーバ１４はサーバとして機能するコンピュータ９０Ａで実現することができる。コンピュータ９０Ａは、第１実施形態のコンピュータ９０の記憶部９６に代わり記憶部９６Ａを備えている。
【０１４４】
記憶部９６Ａには、通信制御サーバプログラム１０１がさらに記憶されている。通信制御サーバプログラム１０１は、通信制御プロセス１０７を有する。また、記憶部９６Ａの人口密度ＤＢ記憶領域１１３は、人口密度ＤＢ５２が記憶される記憶領域として機能する。
【０１４５】
ＣＰＵ９２は、通信制御サーバプログラム１０１を記憶部９６Ａから読み出してメモリ９４に展開し、通信制御プロセス１０７を実行することで通信制御部５４として動作する。
【０１４６】
これにより、通信制御サーバプログラム１０１を実行したコンピュータ９０Ａが、サーバ１４Ａとして機能する。
【０１４７】
次に、本実施形態に係る画像表示システム１０Ａの端末装置１２Ａ及びサーバ１４Ａにおける通信制御動作について説明する。
【０１４８】
まず、サーバ１４Ａにおける通信制御動作について説明する。図２０には、サーバ１４Ａで行われる通信制御サーバ処理の一例のフローチャートを示す。図２０に示した通信制御サーバ処理は、例えば、定期的に実行される。
【０１４９】
ステップＳ４００で通信制御部５４は、人口密度ＤＢ５２を参照して現在聖火を所持するユーザのうちの１つの現在位置における人口密度を取得する。
【０１５０】
次のステップＳ４０２で通信制御部５４は、人口密度が閾値以上であるか否かを判断する。本実施形態の画像表示システム１０Ａでは、端末装置１２Ａ間ですれちがいの頻度が比較的少ないと考えられる人口密度を例えば実験的に得ておき、当該人口密度に基づいて、予め閾値を定めておく。なお、すれちがいの頻度が多いか少ないかについては、聖火リレーにおいて所望するリレー回数やリレー頻度を考慮して判断してもよい。
【０１５１】
閾値以上ではない（閾値未満）の場合は、否定判定となりステップＳ４０４へ移行する。ステップＳ４０４で通信制御部５４は、通信先の端末装置１２Ａを選択する。この場合は、すれちがいの頻度が少なく、すれちがい通信により聖火リレーを行い難いと考えられるため、本実施形態の画像表示システム１０Ａでは、無線通信によりネットワーク１６を介して他の端末装置１２Ａに聖火を渡す。そのため、通信制御部５４は、ユーザＤＢ４６を参照して、受信側の端末装置１２Ａとなるユーザを選択する。選択方法は特に限定されず、例えば、ランダムに選択してもよいし、送信側の端末装置１２Ａの現在位置から最も近い位置に存在する他の端末装置１２Ａを選択してもよい。
【０１５２】
次のステップＳ４０６で選択した通信先を現在聖火を所持している端末装置１２Ａに送信した後、ステップＳ４１２へ移行する。
【０１５３】
一方、ステップＳ４０２で閾値以上の場合は、肯定判定となりステップＳ４０８へ移行する。
【０１５４】
ステップＳ４０８で通信制御部５４は、現在聖火を所持している端末装置１２Ａが近距離無線通信によりすれちがいＩＤの送信を行っているか否かを判断する。なお、本実施形態のサーバ１４Ａでは、ユーザＤＢ４６のユーザテーブルに、その他属性として、近距離無線通信を行っているか否かについての情報が予め格納されている。そのため、通信制御部５４は、ユーザＤＢ４６を参照して近距離無線通信を行っているか否かを判断する。
【０１５５】
近距離無線通信を行っている場合は、肯定判定となりステップＳ４１２へ移行する。一方、近距離無線通信を行っていない場合は、否定判定となりステップＳ４１０へ移行する。
【０１５６】
ステップＳ４１０で通信制御部５４は、近距離無線通信に切り替えるように指示を現在聖火を所持しているユーザ（端末装置１２）に送信した後、ステップＳ４１２へ移行する。なお、通信制御部５４は、この際、ユーザＤＢ４６のユーザテーブルのその他属性に格納されている近距離無線通信を行っているか否かについての情報も切り替える。
【０１５７】
ステップＳ４１２で通信制御部５４は、本通信制御サーバ処理を終了するか否かを判断する。本通信制御サーバ処理は、現在聖火を所持している全てのユーザ（端末装置１２Ａ）について行う。そのため、未だ上記ステップＳ４００〜Ｓ４１０の処理を行っていないユーザが有る場合は、否定判定となり、ステップＳ４００に戻り、本通信制御サーバ処理を繰り返す。一方、肯定判定となった場合は、本通信制御サーバ処理を終了する。
【０１５８】
次に、端末装置１２Ａにおける通信制御動作について説明する。図２１には、端末装置１２Ａで行われる通信制御端末処理の一例のフローチャートを示す。図２１に示した通信制御端末処理は、サーバ１４Ａの通信制御サーバ処理のステップＳ４０６による通信先またはＳ４１０の処理による切り替え指示を受信した場合に実行される。
【０１５９】
ステップＳ４５０で通信制御部３４は、通信先を受信したか否かを判断する。通信先を受信した場合は、肯定判定となり、ステップＳ４５２へ移行する。ステップＳ４５２で通信制御部３４は、第２通信部２２から指示された通信先の端末装置１２ＡにすれちがいＩＤを送信するように設定した後、本通信制御端末処理を終了する。当該設定により、端末装置１２Ａは、聖火を渡す端末装置１２Ａに対してネットワーク１６を介して第２通信部２２からすれちがいＩＤを送信するようになる。
【０１６０】
一方、通信先を受信していない場合は、ステップＳ４５４へ移行する。この場合は、近距離無線通信に切り替えるようにサーバ１４Ａから切り替えの指示を受信したため、ステップＳ４５４で通信制御部３４は、第１通信部２０からすれちがいＩＤを送信するように設定した後、本通信制御端末処理を終了する。当該設定により、端末装置１２Ａは、第１通信部２０から近距離無線通信を用いてすれちがいＩＤを送信するようになる。
【０１６１】
このように、本実施形態の画像表示システム１０Ａでは、現在聖火を所持している端末装置１２の現在位置が人口密度が低い場所である場合、端末装置１２間での通信を近距離無線通信から無線通信に切り替える。これにより、本実施形態の画像表示システム１０Ａでは、すれちがいの頻度を増加させることができる。
【０１６２】
なお、本実施形態では、サーバ１４Ａが人口密度ＤＢ５２を備える場合について説明したがこれに限らず、適宜、ネットワーク１６を介して外部装置等から人口密度に関する情報を取得してもよい。
【０１６３】
また、本実施形態では、一般的な人口密度に応じて、近距離無線通信と無線通信とを切り替えていたが、例えば、聖火リレーのアプリケーションを有するユーザや、該アプリケーションを起動しているユーザの数や密度に応じ切り替えてもよい。この場合は、サーバ１４がこれらのユーザの現在位置を取得し、取得した現在位置に基づいて上記、通信制御サーバ処理を行うようにすればよい。
【０１６４】
また、人口密度に代えて、現在聖火を所持するユーザ（端末装置１２Ａ）の現在位置が所定時間以上変化しない場合や、所定時間以上すれ違いが生じない場合に、近距離無線通信から無線通信に切り替えるようにしてもよい。
［第３実施形態］
第１実施形態の画像表示システム１０では、端末装置１２が複数の聖火を同時に所持できない場合について説明したが、本実施形態では、複数の聖火を同時に所持できる場合について説明する。
【０１６５】
本実施形態の画像表示システム１０Ｂ、端末装置１２Ｂ、及びサーバ１４Ｂの構成は、第１実施形態と同様の構成（図１、及び３参照）であるため説明を省略する。
【０１６６】
なお、端末装置１２Ｂは、複数の聖火を同時に所持している場合は、複数の聖火リレー用画像１を同時に表示部３０に表示させてもよいし、聖火リレー用画像１を順次表示させるようにしてもよい。また、端末装置１２Ｂは、ユーザの操作に応じて、ユーザが所望する聖火リレー用画像１を表示部３０に表示させるようにしてもよい。
【０１６７】
本実施形態では、コンピュータ６０Ｂ（図７参照）の記憶部６６Ｂに記憶されている画像表示プログラム７２ＢをＣＰＵ６２が実行することにより、コンピュータ６０Ｂを端末装置１２Ｂとして機能させることができる。同様に本実施形態では、コンピュータ９０Ｂ（図８参照）の記憶部９６Ｂに記憶されているサーバプログラム１００ＢをＣＰＵ９２が実行することにより、コンピュータ９０Ｂをサーバ１４Ｂとして機能させることができる。
【０１６８】
端末装置１２Ｂ及びサーバ１４Ｂ毎に、各装置で行われる処理の詳細について説明する。まず、サーバ１４Ｂで行われるサーバ処理について説明する。
【０１６９】
図２２には、サーバ１４Ｂで行われるサーバ処理の一例のフローチャートを示す。本実施形態のサーバ１４Ｂで行われるサーバ処理は、第１実施形態のサーバ１４で行われるサーバ処理（図１３参照）と同様の処理を含むため、同様の処理についてはその旨を記し、詳細な説明を省略する。
【０１７０】
図２２に示すように本実施形態のサーバ処理は第１実施形態のサーバ処理（図１３参照）の各処理に加えて、ステップＳ３１５、Ｓ３２１、Ｓ３２３Ａ、Ｓ３２３Ｂ、及びＳ３２３Ｃの処理を備える。
【０１７１】
本実施形態のサーバ処理では、ステップＳ３１４で肯定判定となった場合は、ステップＳ３１５へ移行する。
【０１７２】
ステップＳ３１５で判定部４４は、聖火を一つ選択した後、ステップＳ３１６へ移行する。具体的には、判定部４４は、聖火ＤＢ４８に格納されている聖火テーブルを参照して、上記ステップＳ３１２で現在位置を取得したユーザ（送信側の端末装置１２）が所有する聖火のうちの一つを選択する。聖火の選択方法は特に限定されない。例えば、すれちがいログＤＢ５０に格納されているすれちがいログテーブルも参照して、受信時間が最も古い聖火を選択してもよいし、ランダムに選択してもよい。なお、送信側の端末装置１２Ｂが１つの聖火しか所持していない場合は、当該聖火を選択することはいうまでもない。
【０１７３】
また、本実施形態のサーバ処理では、ステップＳ３１８で否定判定となった場合は、ステップＳ３２１へ移行する。ステップＳ３２１で判定部４４は、送信側の端末装置１２Ｂが所持する全ての聖火について上記ステップＳ３１５で選択したか否かを判断する。否定判定となった場合は、ステップＳ３１５へ移行して、上記処理を繰り返す。一方、肯定判定となった場合は、ステップＳ３２２へ移行する。
【０１７４】
また、本実施形態のサーバ処理では、ステップＳ３２０の後、ステップＳ３２３Ａへ移行する。ステップＳ３２３ＡですれちがいＩＤ発行部４２は、送信側の端末装置１２Ｂが、聖火を複数所持していたか否かを判断する。否定判定となった場合は、ステップＳ３２４へ以降する。一方、肯定判定となった場合は、ステップＳ３２３Ｂへ移行する。
【０１７５】
ステップＳ３２３ＢですれちがいＩＤ発行部４２は、上記ステップＳ３０４と同様に、すれちがいＩＤを生成して、ユーザＤＢ４６に格納されている該ユーザに対応するユーザテーブルに登録する。また、すれちがいＩＤを発行した発行時間を対応付けて登録する。
【０１７６】
そして次のステップＳ３２３ＣですれちがいＩＤ発行部４２は、生成したすれちがいＩＤを、送信側の端末装置１２に送信した後、ステップＳ３２４へ移行する。
【０１７７】
一方、端末装置１２Ｂで行われる画像表示処理について説明する。
【０１７８】
図２３には、端末装置１２Ｂで行われる画像表示処理の一例のフローチャートを示す。本実施形態の端末装置１２Ｂで行われる画像表示処理は、第１実施形態の端末装置１２Ｂで行われる画像表示処理（図１０参照）と同様の処理を含むため、同様の処理についてはその旨を記し、詳細な説明を省略する。
【０１７９】
図２３に示すように本実施形態の画像表示処理は第１実施形態の画像表示処理（図１０参照）の各処理に加えて、ステップＳ１１３Ａ、及びＳ１１３Ｂの処理を備える。
【０１８０】
本実施形態のサーバ処理では、ステップＳ１１２の後、ステップＳ１１３Ａへ移行する。
【０１８１】
ステップＳ１１３Ａで第２通信部２２は、すれちがいＩＤを受信したか否かを判断し、受信しない場合は、否定判定となりステップＳ１１４へ移行する。一方、すれちがいＩＤを受信した場合は、肯定判定となりステップＳ１１３Ｂへ移行する。
【０１８２】
ステップＳ１１３ＢですれちがいＩＤ設定部２１は、受信したすれちがいＩＤに現在のすれちがいＩＤを更新した後、ステップＳ１１４へ移行する。
【０１８３】
このように、本実施形態では送信側の端末装置１２Ｂが複数の聖火を所持する場合、本実施形態のサーバ１４Ｂは、端末装置１２Ｂが所持する複数の聖火のうちから選択した聖火が受信側の端末装置１２Ｂに渡るように制御している。また、サーバ１４Ｂは、新たにすれちがいＩＤを生成して送信側の端末装置１２Ｂに送信する。送信側の端末装置１２Ｂは、受信したすれちがいＩＤを現在のすれちがいＩＤとして設定するため、所持している残りの聖火について新たなすれちがいＩＤを用いて聖火リレーを行う。
【０１８４】
なお、本実施形態では、送信側の端末装置１２が複数の聖火を所持する場合、サーバ１４Ｂは、そのうちの一つを選択して受信側の端末装置１２に渡すようにしているが、１つ以上の聖火を渡すようにしてもよい。この場合、なるべく聖火毎に、渡される先（受信側の端末装置１２）や経路が異なるようにするため、送信側の端末装置１２Ｂが所持している聖火の数未満の数の聖火を渡すように制御することが好ましい。また、サーバ１４Ｂは、聖火を渡す数がランダムになるように制御してもよい。
【０１８５】
以上説明したように、上記各実施形態の画像表示システム１０（１０Ａ及び１０Ｂ含む）では、聖火を所持する送信側の端末装置１２（１２Ａ及び１２Ｂ含む）が受信側の端末装置１２とすれちがい通信を行う。サーバ１４（１４Ａ及び１４Ｂを含む）がすれちがい通信が成立したと判定した場合は、聖火を所持する権利が送信側の端末装置１２から受信側の端末装置１２へ移動する。当該権利の移動により、送信側の端末装置１２の表示部３０に表示された聖火画像１Ａが非表示となる。また、受信側の端末装置１２の表示部３０には、聖火画像１Ａが表示されるようになる。
【０１８６】
従って、上記各実施形態の画像表示システム１０では、端末装置１２間で電子的な聖火リレーを行うことができる。
【０１８７】
このように上記各実施形態の画像表示システム１０では、電子的に聖火リレーを行うことができるため、より多くの幅広いユーザが聖火リレーに参加することができる。これにより、オリンピックへの関心を高めることができるようになる。また、オリンピックへのユーザの期待を高めることができるようになる。
【０１８８】
なお、上記各実施形態では、サーバ１４の判定部４４における予め定められた表示条件の一例を送信側の端末装置１２と受信側の端末装置１２とが所定の範囲内に存在すること、及び過去に所持していた聖火に関する条件としていた。しかしながら、予め定められた表示条件は、これらに限らずその他の条件であってもよいし、上記の内いずれか一方の条件であってもよい。
【０１８９】
また、予め定められた表示条件を満たす受信側の端末装置１２が複数有る場合は、サーバ１４は、優先度に基づいて受信側の端末装置１２を選択してもよい。例えば、同一の送信側の端末装置１２に関する聖火検出情報を複数の端末装置１２がサーバ１４に送信する場合がある。この場合のサーバ１４におけるサーバ処理の一例のフローチャートを図２４に示す。図２４に示したサーバ処理では、ステップＳ３１６及びＳ３１８の処理に代えて、優先度に基づいて受信側の端末装置１２を選択する処理をステップＳ３１９として設けた場合を示している。当該ステップＳ３１９でサーバ１４の判定部４４は、予め定められた優先順位に基づいて端末装置１２を選択する。
【０１９０】
予め定められた優先度は特に限定されないが、例えば、端末装置１２が所持している他の端末装置１２に関するアドレス情報（いわゆる、電話帳）や、ＳＮＳ（Social Networking Service）の友達リストに基づいた優先度が挙げられる。より多く、幅広いユーザにより聖火リレーを行うためには、狭いコミュニティや仲間内等を越えて聖火が渡されることが好ましい。そのため、上記アドレス情報や友達リストに含まれている端末装置１２については優先度を低くすることが好ましい。
【０１９１】
また、聖火リレーのスタートとなる端末装置１２への聖火の点火（電子的な意味での点火）は、サーバ１４により行ってもよいし、聖火台から点火を行うようにしてもよい。図２５には、この場合の画像表示システム１０Ｃの概略構成図を示す。図２５では、聖火台１８が端末装置１２１に点火した聖火が端末装置１２２及び端末装置１２３に順次渡され、また、端末装置１２４に点火した聖火が端末装置１２５及び端末装置１２６に順次渡された場合を示している。
【０１９２】
聖火台１８は、例えば、固定的に所定の場所等に設置しておけばよい。聖火台１８は、送信側の端末装置１２と、サーバ１４との機能を兼ね備えている。また、聖火台１８の位置にＢｌｕｒｔｏｏｔｈのビーコンを固定しておき、聖火台１８からは、すれちがいＩＤが送信されている。端末装置１２がＢｌｕｒｔｏｏｔｈのビーコンを検知した場合、端末装置１２が上述した受信側の端末装置１２と同様にして聖火を受け取ればよい。なお、聖火台１８から聖火ＩＤが同一の聖火が複数の端末装置１２に対して点火されてしまうと、混乱を招くおそれが有るため、聖火台１８から聖火を端末装置１２に点火する毎に、聖火ＩＤを異ならせることが好ましい。例えば、聖火台１８を示す固定的なＩＤと、点火する毎に更新するＩＤとを組み合わせて用いてもよい。また、聖火台１８は、聖火を端末装置１２に点火する毎に、すれちがいＩＤを更新することにより、「なりすまし」の防止ができるようになるため好ましい。
【０１９３】
また、上記各実施形態では、予め端末装置１２が聖火リレー用画像１を所持している場合について説明したがこれに限らない。例えば、聖火リレー用画像１、または聖火画像１Ａは、サーバ１４に格納されており、すれちがい通信が成立した場合に、受信側の端末装置１２にサーバ１４から聖火リレー用画像１または聖火画像１Ａを送信してもよい。この場合の画像表示システム１０におけるタイムチャートを図２６に示す。図２６に示すように、サーバ１４は、すれちがい成立通知の送信後に、聖火リレー用画像１または聖火画像１Ａの画像データを受信側の端末装置１２２に送信する（Ｓ３７）。
【０１９４】
また例えば、送信側の端末装置１２から受信側の端末装置１２に順次、聖火リレー用画像１または聖火画像１Ａが送信されるようにしてもよい。この場合の画像表示システム１０におけるタイムチャートを図２７に示す。図２７に示すように送信側の端末装置１２１は、すれちがい通知の受信後、聖火リレー用画像１または聖火画像１Ａを受信側の端末装置１２２に送信する。
【０１９５】
なお、上述のように聖火リレー用画像１または聖火画像１Ａを予め記憶しておくか、通信により受け渡すかは、通信規格、通信環境、及び画像データの容量等を考慮して予め定めておけばよい。
【０１９６】
また、端末装置１２には、聖火リレーに関して聖火リレー用画像１以外の画像や情報等を表示部３０に表示させることが好ましい。このような表示の例として、聖火の経路（リレーされた経路）を表示させた場合の具体例を図２６に示す。このように聖火の経路を表示させる場合、サーバ１４がすれちがいログＤＢ５０に格納されているすれちがいログテーブルを参照して、聖火毎に、聖火の経路のデータや聖火の経路を表す画像の画像データを端末装置１２に送信する。端末装置１２は、サーバ１４から受信したこれらのデータに基づいて表示部３０に図２８に具体例を示した聖火の経路を表示させればよい。
【０１９７】
また、聖火リレーにおける、スタート地やゴール地を設定してもよい。例えば、アテネをスタート地とし、オリンピックの開催地（東京オリンピックならば東京）をゴール地として仮想的に設定してもよい。そして、聖火毎に、スタート地からゴール地までの距離と同じ距離を聖火が移動した場合、ゴール地点でのイベントとしてバーチャルなオリンピック会場の聖火台に聖火が点火されるイベント映像を端末装置１２の表示部３０に表示してもよい。また、ゴール地まで到達した回数により、聖火リレー用画像１を変化させてもよい。
【０１９８】
また、実際のオリンピックの開会式と同時にバーチャルなオリンピック会場の聖火台に聖火が点火されるイベント映像を端末装置１２の表示部３０に表示させるようにしてもよい。また、その際、聖火リレーに参加したユーザの名前やユーザＩＤ等を端末装置１２に表示させるようにしてもよい。
【０１９９】
また、聖火リレー用画像１等は、上記各実施形態に限定されないことはいうまでもない。例えば、聖火毎に聖火リレー用画像１を異ならせてもよいし、聖火が渡された回数等に応じて聖火画像１Ａの大きさを変化させてもよい。
【０２００】
また、上記各実施形態の画像表示システム１０では、サーバ１４を備え、サーバ１４を介して聖火リレーが行われる場合について説明したがサーバ１４を備えず、端末装置１２間での通信のみを用いて聖火リレーを行ってもよい。この場合、例えば、端末装置１２がサーバ１４と同様の機能を有していればよい。
【０２０１】
なお、上記各実施形態における端末装置１２の第１通信部２０が第１受信部及び第１送信部の一例であり、第２通信部２２が第２受信部、第３受信部、及び端末装置が備える通信部の一例である。
【０２０２】
なお、上記では、画像処理プログラム画像表示プログラム７２、７２Ｂがコンピュータ６０、６０Ｂの記憶部６６、６６Ｂに予め記憶（インストール）されている状態を説明した。しかしながら、画像表示プログラム７２、７２Ｂを記憶媒体に記録された形態で提供することも可能である。同様に、サーバプログラム１００、１００Ｂも記憶媒体に記録された形態で提供することも可能である。また、通信制御端末プログラム７３及び通信制御サーバプログラム１０１も記憶媒体に記録された形態で提供することも可能である。記憶媒体としては、例えば、ＣＤ−ＲＯＭ（Compact Disc Read Only Memory）、ＤＶＤ−ＲＯＭ（Digital Versatile Disk Read Only Memory）、及びＵＳＢ（Universal Serial Bus）メモリ等が挙げられる。
【０２０３】
以上の上記実施形態に関し、更に以下の付記を開示する。
【０２０４】
（付記１）
聖火を表す画像を含む聖火リレー用画像を表示する表示部と、
前記聖火を表す画像を表示する権利を近距離無線通信により受信する第１受信部と、
自装置から所定の範囲内に存在する他の端末装置に、前記第１受信部が受信した前記権利を近距離無線通信により送信する第１送信部と、
前記第１受信部が前記権利を受信した後に、前記表示部に前記聖火を表す画像を表示させる表示制御を行い、前記第１送信部が前記権利を送信した後に、前記表示部に表示している前記聖火を表す画像を非表示とする非表示制御を行う表示制御部と、
を備えた端末装置。
【０２０５】
（付記２）
前記表示制御部は、前記他の端末装置が前記聖火を表す画像を表示させることを確認した場合に、前記非表示制御を行う、
付記１に記載の端末装置。
【０２０６】
（付記３）
前記表示制御部は、予め定められた表示条件を満たすと判定した場合に、前記権利の受信後に未だ聖火を表す画像を表示していない端末装置に表示指示を行う判定部から前記表示指示が行われた場合に、前記表示制御を行い、前記判定部から前記他の端末装置の一つに前記表示指示が行われた場合に、前記非表示制御を行う、
付記１または付記２に記載の端末装置。
【０２０７】
（付記４）
前記予め定められた表示条件は、前記表示制御後に前記非表示制御が行われていない端末装置、及び前記権利の受信後に前記表示制御が行われていない端末装置が予め定められた範囲内に存在することであり、
前記判定部は、前記表示制御後に前記非表示制御が行われていない端末装置、及び前記権利の受信後に前記表示制御が行われていない端末装置各々の位置情報に基づいて前記予め定められた表示条件を満たすか否かを判定する、
付記３に記載の端末装置。
【０２０８】
（付記５）
前記判定部は、前記端末装置が前記非表示制御後に再び前記権利を受信した場合は、前記予め定められた条件を満たしていないとする判定、または前回前記権利を受信してから所定時間以上経過していない場合に前記予め定められた条件を満たしていないとする判定のいずれかを行う、
付記３に記載の端末装置。
【０２０９】
（付記６）
前記判定部は、前記権利の受信後に未だ前記表示制御が行われておらず、かつ前記予め定められた表示条件を満たす端末装置が複数有る場合は、予め定められた優先順位に基づいて、複数のうちの１つの端末装置に前記表示指示を行う、
付記３から付記５のいずれか１つに記載の端末装置。
【０２１０】
（付記７）
前記判定部はサーバに備えられており、
前記サーバからネットワークを介して前記表示指示を受信する第２受信部をさらに備えた、
付記３から付記６のいずれか１つに記載の端末装置。
【０２１１】
（付記８）
前記聖火リレー用画像は、前記聖火を表す画像及びトーチを表す画像を含み、
前記表示制御部は、前記権利を受信した場合は、前記表示部に前記聖火を表す画像及び前記トーチを表す画像を表示させる表示制御を行い、前記権利を前記第１送信部が送信した後も前記トーチを表す画像は前記表示部に表示させたままとする、
付記１から付記７のいずれか１つに記載の端末装置。
【０２１２】
（付記９）
前記表示制御部が前記表示制御後に、予め定められた送信条件が満たされるまで、前記権利の送信を禁止する送信制御部をさらに備えた、
付記１から付記８のいずれか１つに記載の端末装置。
【０２１３】
（付記１０）
ネットワークを介して無線通信を行う通信部と、
予め定められた通信条件を満たした場合は、前記権利の送受信を前記第１受信部及び第１送信部から、前記通信部に代えて行うよう制御する通信制御部と、
をさらに備える、付記１から付記９のいずれか１つに記載の端末装置。
【０２１４】
（付記１１）
前記聖火を表す画像の画像データは、サーバから前記権利の受信後に未だ前記表示制御が行われていない端末装置に送信され、
前記サーバからネットワークを介して前記聖火を表す画像の画像データを受信する第３受信部をさらに備えた、
付記１から付記１０のいずれか１つに記載の端末装置。
【０２１５】
（付記１２）
前記サーバは、前記聖火を表す画像の画像データを前記端末装置に送信した送信回数の累積回数を前記聖火を表す画像に対応付けて記憶して前記聖火を表す画像の画像データと共に、該累積回数を送信し、
前記第３受信部は、前記聖火を表す画像の画像データ及び該累積回数を受信し、
前記表示制御部は、前記累積回数を前記表示部に表示させる制御を行う、
付記１１に記載の端末装置。
【０２１６】
（付記１３）
前記サーバは、聖火を所持している端末装置が移動した移動経路に関する情報を送信し、
前記第３受信部は、移動経路に関する情報を受信し、
前記表示制御部は、前記移動経路に関する情報を前記表示部に表示させる制御を行う、
付記１１または付記１２に記載の端末装置。
【０２１７】
（付記１４）
聖火リレー用画像に含まれる聖火を表す画像を表示する権利の受信後に未だ表示制御が行われていない付記７に記載の端末装置に、予め定められた表示条件を満たすと判定した場合に、前記聖火を表す画像を表示させる表示指示を行う判定部を備えた、
サーバ。
【０２１８】
（付記１５）
聖火リレー用画像に含まれる聖火を表す画像の画像データを、前記聖火を表す画像を表示する権利を受信した付記１１から付記１３のいずれか１つに記載の端末装置に送信する通信部を備えた、
サーバ。
【０２１９】
（付記１６）
付記７に記載の端末装置と、
付記１４に記載のサーバと、
を備えた画像表示システム。
【０２２０】
（付記１７）
付記１１から付記１３のいずれか１つに記載の端末装置と、
付記１５に記載のサーバと、
を備えた画像表示システム。
【０２２１】
（付記１８）
コンピュータに、
聖火を表す画像を含む聖火リレー用画像を表示部に表示し、
前記聖火を表す画像を表示する権利を近距離無線通信により受信し、
自装置から所定の範囲内に存在する他の端末装置の一つに前記聖火を表す画像を表示させるために、前記聖火を表す画像を表示させるための前記権利を近距離無線通信により該他の端末装置の一つに送信し、
前記権利を受信した後に、前記表示部に前記聖火を表す画像を表示させ、その後、前記権利を送信した後に、前記表示部に表示している前記聖火を表す画像を非表示とする制御を行う、
ことを含む処理を実行させる画像表示プログラム。
【０２２２】
（付記１９）
コンピュータにより、
聖火を表す画像を含む聖火リレー用画像を表示部に表示し、
前記聖火を表す画像を表示する権利を近距離無線通信により受信し、
自装置から所定の範囲内に存在する他の端末装置の一つに前記聖火を表す画像を表示させるために、前記聖火を表す画像を表示させるための前記権利を近距離無線通信により該他の端末装置の一つに送信し、
前記権利を受信した後に、前記表示部に前記聖火を表す画像を表示させ、その後、前記権利を送信した後に、前記表示部に表示している前記聖火を表す画像を非表示とする制御を行う、
ことを含む処理を実行させる画像表示方法。
【符号の説明】
【０２２３】
１０、１０Ａ、１０Ｂ、１０Ｃ  画像表示システム
１２、１２Ａ、１２Ｂ  端末装置
１４、１４Ａ、１４Ｂ  サーバ
２０  第１通信部
２１  すれちがいＩＤ設定部
２２  第２通信部
２４  表示制御部
２６  送信制御部
３０  表示部
３４  通信制御部
４０  通信部
４２  すれちがいＩＤ発行部
４４  判定部
５４  通信制御部
６０、６０Ａ、６０Ｂ、９０、９０Ａ、９０Ｂ  コンピュータ
６６、６６Ａ、６６Ｂ、９６、９６Ａ、９６Ｂ  記憶部
７２、７２Ｂ  画像表示プログラム
７３  通信制御端末プログラム
１００、１００Ｂ  サーバプログラム
１０１  通信制御サーバプログラム
６２、９２  ＣＰＵ
【図１】
2016212165.tif 000003
【図２】
2016212165.tif 000004
【図３】
2016212165.tif 000005
【図４】
2016212165.tif 000006
【図５】
2016212165.tif 000007
【図６】
2016212165.tif 000008
【図７】
2016212165.tif 000009
【図８】
2016212165.tif 000010
【図９】
2016212165.tif 000011
【図１０】
2016212165.tif 000012
【図１１】
2016212165.tif 000013
【図１２】
2016212165.tif 000014
【図１３】
2016212165.tif 000015
【図１４】
2016212165.tif 000016
【図１５】
2016212165.tif 000017
【図１６】
2016212165.tif 000018
【図１７】
2016212165.tif 000019
【図１８】
2016212165.tif 000020
【図１９】
2016212165.tif 000021
【図２０】
2016212165.tif 000022
【図２１】
2016212165.tif 000023
【図２２】
2016212165.tif 000024
【図２３】
2016212165.tif 000025
【図２４】
2016212165.tif 000026
【図２５】
2016212165.tif 000027
【図２６】
2016212165.tif 000028
【図２７】
2016212165.tif 000029
【図２８】
2016212165.tif 000030